【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
バルク材料を移送するためのコンテナであって、該コンテナが、標準的な貨物コンテナとして扱われるように形状付けされ、かつ少なくとも長さと幅が寸法決めをされ、底部を有しており、少なくとも底部の一部が、底部を介してコンテナの内容物を排出するために開放可能である、コンテナ。
【請求項２】
前記底部の少なくとも一部が、摺動可能に開放可能である、請求項１に記載のコンテナ。
【請求項３】
前記底部の少なくとも一部が、ヒンジで開放可能である、請求項１または２に記載のコンテナ。
【請求項４】
前記底部の開放可能な部分が、少なくとも１対の２つの協働する半部を備えており、前記底部を閉じた場合に、１つの協働する縁部が他方を覆う重なりを有する、請求項１から３のいずれか一項に記載のコンテナ。
【請求項５】
前記対または各対の両半部が、開放可能である、請求項４に記載のコンテナ。
【請求項６】
少なくとも１つの区画を有し、前記区画または各区画が、それぞれ１つの開口部に通じる、減少した断面積の少なくとも１つの下方部、および前記区画の内容物を放出または保持するための前記開口部または少なくとも１つの開口部のための閉鎖アセンブリを有する、請求項１に記載のコンテナ。
【請求項７】
前記底部の少なくとも一部が、前記開口部から離れて揺動するように操作可能な弓形部分を備える、請求項６に記載のコンテナ。
【請求項８】
前記閉鎖アセンブリまたは少なくとも１つの閉鎖アセンブリが旋回される、請求項６または７に記載のコンテナ。
【請求項９】
前記閉鎖アセンブリを開放位置に移動させて、区画の内容物を排出できるようにするフック手段をさらに備える、請求項６、７、または８に記載のコンテナ。
【請求項１０】
１つの閉鎖アセンブリを開けると全ての閉鎖アセンブリが開くように、リンク手段で旋回可能に連結された複数の前記閉鎖アセンブリを有する、請求項６から９のいずれか一項に記載のコンテナ。
【請求項１１】
前記閉鎖アセンブリまたは少なくとも１つの閉鎖アセンブリが、穿孔された閉鎖板を有して、穿孔を介して流体を排出できるようにする、請求項６から１０のいずれか一項に記載のコンテナ。
【請求項１２】
前記穿孔された閉鎖板または少なくとも１つの穿孔された閉鎖板の下に配置されたフィルタ手段をさらに備えて、流体を排出させるが、材料をコンテナ内に保持することを可能する、請求項１１に記載のコンテナ。
【請求項１３】
前記閉鎖板または少なくとも１つの閉鎖板が弓形であり、閉鎖板を開けたときに、閉鎖板と閉鎖板の開口部との間に実質的に一定の間隙を有するように配置されている、請求項１１または１２に記載のコンテナ。
【請求項１４】
前記底部が、互いに向かって下方に傾斜し排出シュートを形成する部分間の間隔で、互いに離れて配置された複数の傾斜部分を備える、請求項１に記載のコンテナ。
【請求項１５】
前記底部が、コンテナの両端部に沿った傾斜部分をさらに備えて、内容物の排出を容易にし、排出中に材料が端部に蓄積するのを阻止する、請求項１４に記載のコンテナ。
【請求項１６】
排出シュートの開閉が操作可能な、前記排出シュート上の複数の可動カバーをさらに備える、請求項１４または１５に記載のコンテナ。
【請求項１７】
前記カバーを持ち上げて、排出のために前記排出シュートを開放することができる、請求項１６に記載のコンテナ。
【請求項１８】
前記カバーを持ち上げるためのピストン手段をさらに備える、請求項１７に記載のコンテナ。
【請求項１９】
アクセス手段をさらに備えて、アクチュエータが前記コンテナの下から前記カバーにアクセスし、前記カバーを持ち上げることができるようにする、請求項１７に記載のコンテナ。
【請求項２０】
前記カバーの上部側に取り付けられた、つり上げ手段をさらに備えて、前記カバーを上からつり上げる、請求項１７に記載のコンテナ。
【請求項２１】
前記つり上げ手段が、ケーブル、ロープ、およびチェーンからなるグループから選択された可撓性手段を備える、請求項２０に記載のコンテナ。
【請求項２２】
区画に分けられ、各区画の底部がそれぞれ独立して開放可能かつ閉鎖可能である、請求項１から２１のいずれか一項に記載のコンテナ。
【請求項２３】
任意の１つまたは複数のパレット上の物品、ドラムまたは紙箱内の材料、および機械類を含むがそれだけに限定されない、一般貨物を移送するのにも適している、請求項１から２２のいずれか一項に記載のコンテナ。
【請求項２４】
１つまたは複数の端部および／または側部に、１つまたは複数の戸口をさらに備える、請求項１から２３のいずれか一項に記載のコンテナ。
【請求項２５】
頂部の少なくとも一部が、摺動可能にまたはヒンジ可能に開放可能である、請求項１から２４のいずれか一項に記載のコンテナ。
【請求項２６】
前記開放可能な底部部分を閉鎖位置に固定する係止および固定手段をさらに備える、請求項１から２５のいずれか一項に記載のコンテナ。
【請求項２７】
前記底部の前記少なくとも１つの開放可能な部分を開閉するピストン手段をさらに備える、請求項１から２６のいずれか一項に記載のコンテナ。
【請求項２８】
前記底部の前記少なくとも１つの開放可能な部分の周りの封止手段をさらに備えて、動作機構の汚染を防ぎ、材料の無駄を最小限にする、請求項１から２７のいずれか一項に記載のコンテナ。
【請求項２９】
コンテナを回転させるための旋回装置であって、
支持部分と、
回転可能なコンテナ保持部分と、
前記コンテナ保持部分を前記支持部分上で回転させる手段とを備えており、
前記コンテナ保持部分が、
コンテナの下部を支持し締結するための底部部分、および、
第１の方向に延長可能であり、コンテナの上部を締結するための、前記第１の方向に直交する少なくとも第２の平面内の範囲の締結手段を有するアーム手段を備え、
前記締結手段は、前記締結手段が前記コンテナを締結することができないが、前記コンテナが前記底部部分に支持され締結されている第１の位置と、前記締結手段が前記コンテナを締結することができ、前記コンテナが前記底部部分に支持され締結されている第２の位置との間で回転可能である、旋回装置。
【請求項３０】
前記締結手段が前記第１の位置にある場合、コンテナを前記底部部分に締結し、または前記底部部分から取り外すために配置することができ、前記締結手段が前記第２の位置にある場合、前記締結手段は、コンテナを前記底部部分に締結し、または前記底部部分から取り外すために配置するのを妨げる、請求項２９に記載の装置。
【請求項３１】
締結手段が少なくとも１つの垂直軸の周りで回転可能である、請求項２９または３０に記載の装置。
【請求項３２】
締結手段が少なくとも１つの水平軸の周りで回転可能である、請求項２９または３０に記載の装置。
【請求項３３】
前記底部部分が、コンテナを下から支持するように構成され、前記締結手段が、コンテナを上から締結するように構成されている、請求項２９から３２のいずれか一項に記載の装置。
【請求項３４】
前記底部部分が、コンテナの下部コーナーキャスティングを締結するための１対のツイストロックを備え、
前記締結手段が、コンテナの上部コーナーキャスティングを締結するための１対のツイストロックを備えている、請求項２９から３３のいずれか一項に記載の装置。
【請求項３５】
それぞれ請求項２９から３４のいずれか一項で規定された、互いに面する２つの旋回装置を備えている、標準的な貨物コンテナを回転させるための回転装置。
【請求項３６】
レール手段をさらに備え、前記レール上に、少なくとも１つの前記旋回装置が可動に取り付けられて、前記２つの旋回装置の前記コンテナ保持部分の間の相対距離を調節する、請求項３５に記載の回転装置。
【請求項３７】
成分の混合物を製造するシステムであって、
成分用の貯蔵室を有する少なくとも１つの貯蔵部と、
各成分の計量される量を決定し配送するスケーリング部とを備え、
コンテナを前記貯蔵部の頂部上に積み重ねて、前記成分を貯蔵部内に補充できるように構成されているシステム。
【請求項３８】
混合物を排出する前に、前記計量した成分を保持または混合するための部分をさらに備える、請求項３７に記載のシステム。
【請求項３９】
請求項１から２８のいずれか一項に記載のコンテナを、前記貯蔵部の頂部上に積み重ねて、前記底部を開放し前記底部を介して前記材料を排出することによって、前記成分を貯蔵部内に補充することができるように操作可能である、請求項３７または３８に記載のシステム。
【請求項４０】
請求項２９から３４のいずれか一項に記載の旋回装置、またはコンテナを回転させて前記成分を貯蔵部内に補充するための、前記貯蔵部の頂部上にある請求項３５または３６に記載の回転装置をさらに備える、請求項３７または３８に記載のシステム。
【請求項４１】
複数の前記貯蔵部を有する、請求項３７から４０のいずれか一項に記載のシステム。
【請求項４２】
材料移送手段が設けられて、前記成分を前記貯蔵部または各貯蔵部の底から前記スケーリング部の頂部に移動させる請求項３７から４１のいずれか一項に記載のシステム。
【請求項４３】
前記または各貯蔵部が、汚染防止部を備え、該汚染防止部は、材料が前記貯蔵部内に排出されるときに、微粒子汚染を軽減するために前記コンテナと前記貯蔵室との間で使用される、請求項３７から４２のいずれか一項に記載のシステム。
【請求項４４】
前記貯蔵部が、形状付けられ、かつ少なくとも長さおよび幅の寸法決めをされ、標準的な貨物コンテナとして操作可能であり、前記汚染防止部を備えている、請求項４３に記載のシステム。
【請求項４５】
微粒子汚染を軽減するために、前記スケーリング部の頂部上に配置された汚染防止部をさらに備える、請求項３７から４３のいずれか一項に記載のシステム。
【請求項４６】
少なくとも１つの汚染防止部が、フィルタ手段で前記部分の内側部分から隔てられた少なくとも１つ排気ファンを備える、請求項４３、４４、または４５に記載のシステム。
【請求項４７】
少なくとも１つ汚染防止部が、前記少なくとも１つの排気ファンおよびフィルタ手段が作動するための通気スペースをもたらす、複数のそらし要素をさらに備える、請求項４６に記載のシステム。
【請求項４８】
前記少なくとも１つの排気ファンが、微粒子汚染を軽減するための排気ファンとして一方向に動作可能であり、またはフィルタ手段を目詰まりさせないように微粒子を取り除く送風機として逆方向に動作可能である、請求項４６または４７に記載のシステム。
【請求項４９】
前記少なくとも１つの排気ファンが、フィルタ手段を目詰まりさせないように粉塵の粒子を取り除くために、定期的な間隔で逆方向に動作可能である、請求項４８に記載のシステム。
【請求項５０】
効率を上げるために前記フィルタ手段に接続された振動手段をさらに備える、請求項４８または４９に記載のシステム。
【請求項５１】
前記コンテナと前記貯蔵部との間、および／または前記汚染防止手段と前記貯蔵部との間の接合面の間隙のための接合面封止手段をさらに備える、請求項３７から５０のいずれか一項に記載のシステム。
【請求項５２】
前記１つまたは複数の貯蔵部、スケーリング部、混合部、保持ステーション、および前記１つまたは複数の汚染防止部の少なくとも１つが、標準的な貨物コンテナとして形状付けされ、少なくとも長さおよび幅を寸法決めされ、輸送可能かつ積み上げ可能である、請求項３７から５１のいずれか一項に記載のシステム。
【請求項５３】
コンクリートを製造するためのシステムである、請求項３７から５２のいずれか一項に記載のシステム。
【請求項５４】
請求項３７から５３のいずれか一項に記載のシステムを使用する、混合物を製造する方法であって、
成分を貯蔵部内に落下させるステップと、
前記成分を前記貯蔵部から前記スケーリング部内に移送するステップと、
前記成分を計量し、前記計量した成分を前記混合部内に移すステップと、
前記成分を混合するステップとを含む方法。
【請求項５５】
材料がコンテナ間に落下するのを阻止するための、隣接する貨物コンテナの隣接する縁部にクリップ可能に取付け可能なカバー手段。
【請求項５６】
コーナーキャスティングを覆うためのカバー部分を含む、請求項５５に記載のカバー手段。
【請求項５７】
互いの頂部上に積み重ねたコンテナ間の接合面の間隙を封止するための接合面封止手段。
【請求項５８】
実質的に以下に添付の図面を参照して記載し図面で示した、コンテナ、装置、システム、または方法。